(57)【要約】【課題】環状帯体を取り外す操作が不要であり、なおかつ、分離ごみを発生させることのない二剤混合容器を提案する。【解決手段】頂部において開口する口部１ａを有し、その下部に内容物の収納空間を形成する本体部１と、この本体部１の口部１ａに配置され、キャップ２ｆをベース２ｂへ向けてスライドさせることにより排出口ｈを開放して内側に装填した添加物を収納空間内に落下させて収納空間内の内容物に添加する副室部２とを備えた二剤混合容器において、前記キャップ２ｆの下端部に、破断可能な薄肉片３ａを介して一体連結し、ベースとの相互間に位置してキャップの不用意なスライドを阻止する環状帯体３を設ける。該環状帯体３は、キャップ２ｆのベースへ向けたスライドに伴い該キャップ２ｆの外周壁に乗り上げて嵌合する内径を有するものとする。【選択図】図１
2010052786.tif 000002
【特許請求の範囲】
【請求項１】
頂部において開口する口部を有し、その下部に内容物の収納空間を形成する本体部と、この本体部の口部に配置され、キャップの締め込みにより排出口を開放して内部に装填した添加物を収納空間内に落下させて収納空間内の内容物に添加する副室部とを備えた二剤混合容器であって、
前記キャップの下端に、破断可能な薄肉片を介して一体連結し、ベースとの相互間に位置してキャップの不用意なスライドを阻止する環状帯体を設け、
該環状帯体は、キャップのベースへ向けたスライドに伴い該キャップの外周壁に乗り上げて嵌合する内径を有する、ことを特徴とする二剤混合容器。
【請求項２】
前記キャップは、その少なくとも下端部が環状帯体の内径よりも若干小さい外径になる、請求項１記載の二剤混合容器。
【発明の詳細な説明】
【技術分野】
【０００１】
本発明は、例えば、主剤に補助剤を添加する等の用途に好適な二剤混合容器に関するものであり、分離ごみを生じさせることなしに簡単な操作で二剤を混合しようとするものである。
【背景技術】
【０００２】
二剤混合容器としては、種類の異なる内容物をそれぞれ充填した収納体を二つ用意してこれを二段重ねに構成し、使用時に一方の収納体を回動させ両収納体につながる開口を形成することで一方の収納体に充填した内容物をもう一方の収納体へ向けて落下させて二剤を混合するタイプのものが知られている。
【０００３】
また、二剤混合容器としては、キャップの内側に補助剤を充填する副室部を設け、該キャップを閉め込むことにより副室部の底壁部を開放して本体部内に収納してある主剤に補助剤を落下させるタイプのものも知られており、この種の容器は毛染め剤のみならずお茶等の飲料分野へも適用される傾向にあって、その需要は今後益々増大していくものと見込まれている（特許文献１参照）。
【特許文献１】実公平０６−３４３１３号公報
【０００４】
上記の二剤混合容器の中でも、とりわけキャップタイプの混合容器は、構造の簡素化、コンパクト化が容易であることから、二段重ねで構成される二剤混合容器に比較してもその需要が高いものと考えられているが、この二剤混合容器は、キャップの不用意な回動を防止する環状の帯体（ストッパー機能を有するベルト）を引きちぎって分離することにより初めて二剤を混合することが可能になっており、その引きちぎり操作がめんどうであるうえ、該環状の帯体は完全に切り離されるため分離ごみとして別途に廃棄処理がなされており、同一種類の素材を回収して資源の再利用を図る観点からも好ましいとは言い難く、その改善が求められていた。
【発明の開示】
【発明が解決しようとする課題】
【０００５】
本発明の課題は、環状の帯体を取り外す操作が不要で、なおかつ分離ごみを発生させることのない二剤混合容器を提案するところにある。
【課題を解決するための手段】
【０００６】
本発明は、頂部において開口する口部を有し、その下部に内容物の収納空間を形成する本体部と、この本体部の口部に配置され、キャップの締め込みにより排出口を開放して内側に装填した添加物を収納空間内に落下させて収納空間内の内容物に添加する副室部とを備えた二剤混合容器であって、
前記キャップの下端部に、破断可能な薄肉片を介して一体連結し、ベースとの相互間に位置してキャップの不用意なスライドを阻止する環状帯体を設け、
該環状帯体は、キャップのベースへ向けたスライドに伴い該キャップの外周壁に乗り上げて嵌合する内径を有する、ことを特徴とする二剤混合容器であり、キャップの少なくとも下端部については、環状帯体の内径よりも若干小さい外径とするのが好ましい。
【発明の効果】
【０００７】
キャップを締め込んでいくと、環状帯体がキャップの外周壁に乗り上げていき、最終的には環状帯体がキャップに嵌合した状態（抱きついた状態）になるため、分離ごみが生じることはないし、また、環状帯体を取り外すための余計な操作を必要としない。
【発明を実施するための最良の形態】
【０００８】
以下、図面を用いて本発明をより具体的に説明する。
図１は本発明にしたがう二剤混合容器の実施の形態を模式的に示した図であり、図２は副室部内の補助剤を添加した状態を示した図であり、さらに図３はキャップの下端部と環状帯体の連結状況を拡大して示した図である。
【０００９】
図における１は内容物（以下、主剤という）を収納する本体部である。この本体部１は例えばブローボトルが適用され、その頂部において開口する口部１ａを有している。
【００１０】
２は本体部１の口部１ａに配置される副室部である。この副室部２は、口部１ａの内側に位置する短尺の内筒２ａを有し、口部１ａの外周壁にねじ止めされるベース２ｂと、このベース２ｂの天面壁２ｂ１において起立し、外周壁にねじ部を有する長尺の外筒２ｃと、キャップ２ｆの天面壁内面から垂下し、該長尺の外筒２ｃの内側で内筒２ａの内周壁に沿って摺動可能な中間筒２ｄと、この中間筒２ｄの下端部に保持され、該中間筒２ｄの底部を形成する隔壁２ｅと、長尺の外筒２ｃにねじ止めされ、外筒２ｃを中間筒２ｄとともに覆い隠すキャップ２ｆから構成されており、中間筒２ｄ、隔壁２ｅ及びキャップ２ｆによって区画された領域が補助剤を装填するための装填空間Ｍとなっている。隔壁２ｅの外側端部からは該隔壁２ｅを中間筒２ｄの下端部内壁に嵌合保持するための短筒壁２ｇが立設されており、この短筒壁２ｇとの境界部（短筒壁２ｇの最下端）には、内筒２ａの内壁によって閉塞するが、摺動により内筒２ａから外れることによって開放する排出口ｈが形成されている。排出口ｈは、補助剤を装填空間Ｍから排出するためのものであって、中間筒２ｄの周りで少なくとも一箇所、より好ましくは間隔をあけて複数箇所設けることができる。
【００１１】
また、３はキャップ２ｆの下端に設けられた環状帯体である。この環状帯体３は破断可能な薄肉片３ａを介してキャップ２ｆの下端に一体連結したものとして示してあり、該環状帯体３はベース２ｂの天面壁２ｂ１との相互間に位置し、キャップ２ｆの回動による不用意なスライドを防止するようになっている。さらに、４はベース２ｂの下端に連結片４ａ（周方向に連続する薄肉片でもよい）を介して切り離し可能に一体連結するバージンバンドである。バージンバンド４は容器が不正に開封されたどうか把握するために設けられるものであって、バージンバンド４は本体部１の口部１ａの凸部に係合しており、ベース２ｂから切り離された後においても口部１ａから抜け出すことがないようになっている。
【００１２】
上記の構成になる二剤混合容器においてキャップ２ｆを閉め込んでいくと、キャップ２ｆはベース２ｂの天面壁２ｂ１に向けて下降していき、これに伴いキャップ２ｆの天面壁より垂下する中間筒２ｄが隔壁２ｅとともに下方に向けてスライドし、排出口ｈが開放されると同時に装填空間Ｍ内に存在する補助剤は本体部１内に収納した主剤へ向けて落下することとなり、これにより二剤が混合される。二剤が混合された内容物はベース２ｂを本体部１の口部１ａから取り外すことで排出を可能とする。
【００１３】
一方、キャップ２ｆの下降に際して環状帯体３はその下端がベース２ｂの天面壁２ｂ１に位置しているため位置変動は起こらず、キャップ２ｆにより強く押される結果として薄肉片３ａが破断しキャップ２ｆの外周壁に乗り上げていくことになり、排出口ｈが全開した状態では図２に示すように環状帯体３の全体がキャップ２ｆの外周壁に嵌合する。
【００１４】
上記のような手順にしたがって補助剤を主剤に添加する場合、環状帯体３はキャップ２ｆに嵌合した状態になるので分離ごみが生じることはなく、しかもキャップ２ｆのねじ込みに際して環状帯体３を取り外すような別の操作も必要ない。
【００１５】
キャップ２ｆと環状帯体３とをつなぐ薄肉片３ａは、該環状帯体３の全周に亘って設けることができるが、間隔をあけて複数箇所に設けることも可能であり、この点については限定されない。
【００１６】
また、図３に示すように、キャップ２ｆの外周壁に確実に乗り上げることができるように該キャップ２ｆの少なくとも下端部における径は環状帯体３の内径よりも若干小さくしておくか、下端に向けて先細りになるテーパー部を形成しておくのが好ましい。この場合、キャップ２ｆが下降するに従い環状帯体３がキャップ２ｆの下端部の小内径部（あるいはテーパー部）に案内されてキャップ２ｆの外周面に抱きつくように乗り上げていくことになる。キャップ２ｆと環状帯体３との関係は、キャップ２ｆの下端部外径を調整する上掲の構成に限られるものではなく、環状帯体３の内径をキャップ２ｆの下端部における外径よりも若干大きくしておけばよく、その両方の径を調整してもよい。
【００１７】
なお、上掲図１〜３に示した二剤混合容器は、本発明に従う実施の形態の一例を示したものにすぎない。その他の混合機構としては、例えば、従来技術において説明したように、キャップの下降に伴い副室部を仕切るシール部材を切断刃等により破断開口する機構のものを適用してもよく、環状帯体３とキャップ２ｆとを備える限りおいては、混合機構としては公知の様々な仕組みのものが採用可能である。
【産業上の利用可能性】
【００１８】
環状帯体を取り外す操作を必要とせず、なおかつ分離ごみが生じることのない二剤混合容器が提供できる。
【図面の簡単な説明】
【００１９】
【図１】本発明にしたがう二剤混合容器の実施の形態を示した図である。
【図２】図１に示した二剤混合容器の使用状況を示した図である。
【図３】図１に示した二剤混合容器の要部を拡大して示した図である。
【符号の説明】
【００２０】
１    本体部
１ａ  口部
２    副室部
２ａ  内筒
２ｂ  ベース
２ｃ  外筒
２ｄ  中間筒
２ｅ  隔壁
２ｆ  キャップ
２ｇ  短筒壁
３    環状帯体
３ａ  薄肉片
４    バージンバンド
４ａ  連結片
Ｍ    装填空間
ｈ    排出口
【図１】
2010052786.tif 000003
【図２】
2010052786.tif 000004
【図３】
2010052786.tif 000005